(57)【特許請求の範囲】
【請求項１】
かご及び釣合重りの荷重を受ける上部梁がガイドレールの上部に固定されているエレベータに設けられ、上記上部梁から鉛直下向きの荷重を受ける上記ガイドレールの下端部を、ピット床部に設置された基台に対して固定するためのエレベータのガイドレール固定装置であって、
上記基台上に設けられ、かつ上下方向の位置が調整可能になっており、上記ガイドレールの下端部に直接又はスペーサを介して当接していることにより、上記ガイドレールの鉛直下向きの荷重を受ける支持ボルト、
上記基台に固定され、上記ガイドレールの裏面に当接する当て板、及び
この当て板に対する上記ガイドレールの水平方向への移動を規制する止め具
を備えていることを特徴とするエレベータのガイドレール固定装置。
【請求項２】
ガイドレールの下端部と支持ボルトとの間に配置され、上記ガイドレールの鉛直下向きの荷重を上記支持ボルトに伝えるスペーサを備えていることを特徴とする請求項１記載のエレベータのガイドレール固定装置。
【請求項３】
止め具は、当て板とによりガイドレールを挟持するレールクリップであり、上記当て板には、上記レールクリップを取り付けるための複数の取付孔が上下方向に間隔をおいて設けられていることを特徴とする請求項１又は請求項２に記載のエレベータのガイドレール固定装置。
【請求項４】
かご及び釣合重りの荷重を受ける上部梁がガイドレールの上部に固定されているエレベータに設けられ、上記上部梁から鉛直上向きの荷重を受ける上記ガイドレールの下端部を、ピット床部に設置された基台に対して固定するためのエレベータのガイドレール固定装置であって、
上記ガイドレールに固定されているフランジ部材、
上記基台に固定されている支持体、
この支持体に設けられ、かつ上下方向の位置が調整可能になっており、上記フランジ部材に直接又はスペーサを介して当接していることにより、上記フランジ部材を介して上記ガイドレールの鉛直上向きの荷重を受ける支持ボルト、及び
上記支持体に対する上記フランジ部材の水平方向への移動を規制する止め具
を備えていることを特徴とするエレベータのガイドレール固定装置。
【請求項５】
フランジ部材と支持ボルトとの間に配置され、ガイドレールの鉛直上向きの荷重を上記支持ボルトに伝えるスペーサを備えていることを特徴とする請求項４記載のエレベータのガイドレール固定装置。
【請求項６】
止め具は、フランジ部材を支持体に取り付ける取付ボルトであり、上記支持体には、上記取付ボルトを取り付けるための上下方向に延びる複数の長孔が上下方向に間隔をおいて設けられていることを特徴とする請求項４又は請求項５に記載のエレベータのガイドレール固定装置。
【発明の詳細な説明】
【０００１】
【発明の属する技術分野】
この発明は、かご又は釣合重りの昇降を案内するガイドレールの下端部を、ピット床部に設置された基台に対して固定するためのエレベータのガイドレール固定装置に関するものである。
【０００２】
【従来の技術】
図６は従来のエレベータの一例を示す構成図、図７は図６の平面図である。図において、１は昇降路、２は昇降路１のピット床部１ａ上に設置されている基台、３は基台２上に設置されている巻上機、４ａ，４ｂは基台２に接続されている一対のかごガイドレール、５ａ，５ｂは基台２に接続されている一対の重りガイドレールである。
【０００３】
６はかごガイドレール４ａ，４ｂに沿って昇降路１内を昇降されるかご、７は重りガイドレール５ａ，５ｂに沿って昇降路１内を昇降される釣合重り、８はかごガイドレール４ａ及び重りガイドレール５ｂの上部に固定されている上部梁、９は上部梁８に回転自在に支持されているかご側返し車、１０ａ，１０ｂは互いに間隔をおいて上部梁８に回転自在に支持されている一対の重り側返し車である。
【０００４】
１１ａ，１１ｂはかご６の下部にそれぞれ回転自在に設けられている一対のかご吊り車、１２は釣合重り７の上部に回転自在に設けられている重り吊り車、１３はかごガイドレール４ｂの上部に固定されている綱止め板、１４は綱止め板１３に設けられている第１の綱止め部、１５は上部梁８に設けられている第２の綱止め部である。
【０００５】
１６は両端部が綱止め部１４，１５に固定され、かご６及び釣合重り７を昇降路１内に吊り下げているロープであり、このロープ１６は、第１の綱止め部１４からかご吊り車１１ａ，１１ｂ、かご側返し車９、巻上機３、重り側返し車１０ａ，１０ｂ及び重り吊り車１２の順に巻き掛けられ、第２の綱止め部１５に至っている。
【０００６】
次に、図８は従来のガイドレール固定装置の一例を示す斜視図であり、例えば図７のかごガイドレール４ａ，４ｂの下端部を基台２に固定する場合について示す。図において、１７は基台２に固定されている当て板、１８は当て板１７との間にかごガイドレール４ｂを挟持しかごガイドレール４ｂの水平方向への移動を規制する複数のレールクリップである。
【０００７】
【発明が解決しようとする課題】
上記のような従来のエレベータにおいては、ガイドレール４ａ，４ｂ，５ａ，５ｂは、それぞれ所定の長さの複数本のレール部材をその長さ方向に継ぎ合わせて設置されている。また、かごガイドレール４ａ及び重りガイドレール５ｂの上部に固定されている上部梁８は、昇降路１内の適正な位置（高さ）に設置される必要があるため、かごガイドレール４ａ及び重りガイドレール５ｂの最上部のレール部材は、上部梁８の位置を基準として設置される。そして、その最上部のレール部材を基準として他のレール部材が下方に継ぎ合わされていく。
【０００８】
しかし、各レール部材の長さや昇降路１の高さには製作上あるいは施工上の誤差があるため、これらの誤差により最下部のレール部材の位置が上下に変動してしまい、図８に示したように基台２上に正確に当接させるのは困難であった。即ち、従来の固定装置では、例えばかごガイドレール４ａ及び重りガイドレール５ｂの位置が上方へ変動した場合には、ガイドレール４ａ，５ｂが基台２に直接当接しなくなるので、それらの鉛直方向の荷重を支持することが難しかった。
【０００９】
この発明は、上記のような問題点を解決することを課題としてなされたものであり、ガイドレールの上下方向の位置が変動した場合にも、ガイドレールの鉛直方向の荷重を容易に支持することができるエレベータのガイドレール固定装置を得ることを目的とする。
【００１０】
【課題を解決するための手段】
請求項１の発明に係るエレベータのガイドレール固定装置は、鉛直下向きの荷重を受けるガイドレールの下端部を、ピット床部に設置された基台に対して固定するためのものであって、基台上に設けられ、かつ上下方向の位置が調整可能になっており、ガイドレールの鉛直下向きの荷重を受ける支持ボルト、基台に固定され、ガイドレールの裏面に当接する当て板、及びこの当て板に対するガイドレールの水平方向への移動を規制する止め具を備えたものである。
【００１１】
請求項２の発明に係るエレベータのガイドレール固定装置は、ガイドレールの下端部と支持ボルトとの間に配置され、ガイドレールの鉛直下向きの荷重を支持ボルトに伝えるスペーサを備えたものである。
【００１２】
請求項３の発明に係るエレベータのガイドレール固定装置は、当て板とによりガイドレールを挟持するレールクリップを止め具として用い、当て板には、レールクリップを取り付けるための複数の取付孔を上下方向に間隔をおいて設けたものである。
【００１３】
請求項４の発明に係るエレベータのガイドレール固定装置は、鉛直上向きの荷重を受けるガイドレールの下端部を、ピット床部に設置された基台に対して固定するためのものであって、ガイドレールに固定されているフランジ部材、基台に固定されている支持体、この支持体に設けられ、かつ上下方向の位置が調整可能になっており、フランジ部材を介してガイドレールの鉛直上向きの荷重を受ける支持ボルト、及び支持体に対するフランジ部材の水平方向への移動を規制する止め具を備えたものである。
【００１４】
請求項５の発明に係るエレベータのガイドレール固定装置は、フランジ部材と支持ボルトとの間に配置され、ガイドレールの鉛直上向きの荷重を支持ボルトに伝えるスペーサを備えたものである。
【００１５】
請求項６の発明に係るエレベータのガイドレール固定装置は、フランジ部材を支持体に取り付ける取付ボルトを止め具として用い、支持体には、取付ボルトを取り付けるための上下方向に延びる複数の長孔を上下方向に間隔をおいて設けたものである。
【００１６】
【発明の実施の形態】
以下、この発明の実施の形態を図について説明する。
実施の形態１．
図１はこの発明の実施の形態１によるエレベータのガイドレール固定装置を示す斜視図であり、エレベータ全体の構成は図６及び図７と同様である。
【００１７】
図において、２は昇降路１のピット床部１ａ上に設置されている基台、４ａは基台２上に設けられ、かご６の昇降を案内するかごガイドレールであり、このかごガイドレール４ａの上部には、上部梁８が固定されている。また、かごガイドレール４ａは、鉛直下向きの荷重を受けている。
【００１８】
２１は基台２上に固定されている受け座、２２は受け座２１に螺着され、頭部２２ａにかごガイドレール４ａの下端部が当接していることによりかごガイドレール４ａの鉛直下向きの荷重を受ける支持ボルトであり、この支持ボルト２２は、受け座２１への螺着量を調整することにより、上下方向の位置が調整可能になっている。２３は支持ボルト２２に螺着され、受け座２１からの支持ボルト２２の突出量を固定するナットである。
【００１９】
２４は基台２に固定され、かごガイドレール４ａの裏面に当接する当て板であり、この当て板２４には、上下方向に互いに間隔をおいて複数の取付孔２４ａが設けられている。２５は一対の取付孔２４ａに選択的に取り付けられ、当て板２４との間にかごガイドレール４ａを挟持することにより当て板２４に対するかごガイドレール４ａの水平方向への移動を規制する止め具としての一対のレールクリップである。
【００２０】
上述したように、かごガイドレール４ａを構成する複数のレール部材は、最上部のレール部材の位置を基準として設置されるため、レール部材の長さや昇降路の高さの誤差により、かごガイドレール４ａの下端部の位置は上下に変動する。これに対して、この例のガイドレール固定装置では、支持ボルト２２の上下の位置を調整できるため、かごガイドレール４ａの下端部を支持ボルト２２に容易に当接させることができ、鉛直下向きの荷重を常に支持させることができる。
【００２１】
また、かごガイドレール４ａをレールクリップ２５で押さえた後に、支持ボルト２２の位置を調整することにより、よりしっかりとかごガイドレール４ａに支持ボルト２２を当接させることができる。
【００２２】
実施の形態２．
次に、図２はこの発明の実施の形態２によるエレベータのガイドレール固定装置を示す斜視図である。図において、２６はかごガイドレール４ａの下端部と支持ボルト２２の頭部２２ａとの間に介在され、かごガイドレール４ａの鉛直下向きの荷重を支持ボルト２２に伝えるスペーサであり、このスペーサ２６は、かごガイドレール４ａと同様の断面形状を有している。２７は一対の取付孔２４ａに選択的に取り付けられ、当て板２４との間にスペーサ２６を挟持する一対のスペーサクリップであり、実際にはレールクリップ２５を流用することができる。
【００２３】
この例では、高さ寸法の異なる複数種のスペーサ２６が予め用意されており、受け座２１からかごガイドレール４ａの下端部までの高さ寸法Ｈに応じて適当なスペーサ２６が選択され、かごガイドレール４ａと支持ボルト２２との間に配置される。用意したスペーサ２６の高さ寸法の差分よりも支持ボルト２２の突出量の調整範囲を大きくすることにより、より広範囲のかごガイドレール４ａの位置変動に対して連続的に対応して荷重を支持することができる。即ち、大まかな調整をスペーサ２６により行い、微調整は支持ボルト２２で行うことができる。
【００２４】
実施の形態３．
次に、図３はこの発明の実施の形態３によるエレベータのガイドレール固定装置を示す斜視図である。図において、５ｂは基台２上に設けられ、釣合重り７の昇降を案内する重りガイドレールであり、この重りガイドレール５ｂの上部には、上部梁８が固定されている。また、重りガイドレール５ｂは、鉛直上向きの荷重を受けている。
【００２５】
３１は重りガイドレール５ｂの裏面に固定されているフランジ部材、３２は基台２に固定されている支持体であり、この支持体３２には、それぞれ上下方向に延びる複数の長孔３２ａが上下方向に互いに間隔をおいて設けられている。
【００２６】
３３は支持体３２に螺着され、下端部にフランジ部材３１の上面が当接していることによりフランジ部材３１を介して重りガイドレール５ｂの鉛直上向きの荷重を受ける支持ボルトであり、この支持ボルト３３は、支持体３２への螺着量を調整することにより、上下方向の位置が調整可能になっている。３４は支持ボルト３３に螺着され、支持体３２に対する支持ボルト３３の位置を固定するナットである。
【００２７】
３５は複数の長孔３２ａに選択的に取り付けられ、支持体３２に対するフランジ部材３１の水平方向への移動を規制する止め具としての複数本の取付ボルトである。
【００２８】
ここで、例えば図６に示したようなエレベータでは、上部梁８にかご側返し車９、重り側返し車１０ａ，１０ｂ及び第２の綱止め部１５が設けられているため、図６のＦ１〜Ｆ４に示したような荷重が上部梁８に作用する。これらの荷重は、図６のかごガイドレール４ａの左側で大きく、右側で小さいため、上部梁８には図６の反時計方向へ回転させるようなモーメントが作用する。従って、重りガイドレール５ｂには、鉛直上向きの荷重が作用することになる。
【００２９】
また、重りガイドレール５ｂの下端部の位置は、前述した通りレール部材の長さや昇降路１の高さの誤差により上下に変動する。これに対し、実施の形態３によるガイドレール固定装置では、支持ボルト３３の上下の位置を調整できるため、重りガイドレール５ｂの上面を支持ボルト３３に容易に当接させることができ、鉛直上向きの荷重を常に支持させることができる。
【００３０】
実施の形態４．
次に、図４はこの発明の実施の形態４によるエレベータのガイドレール固定装置を示す斜視図、図５は図４の装置の断面図である。図において、３６は支持ボルト３３の下端部とフランジ部材３１の上面との間に介在され、重りガイドレール５ｂの鉛直上向きの荷重を支持ボルト３３に伝えるスペーサ、３７は長孔３２ａに取り付けられ、支持体３２に対するスペーサ３６の水平方向への移動を規制するスペーサ取付ボルトである。
【００３１】
この例では、高さ寸法の異なる複数種のスペーサ３６が予め用意されており、フランジ部材３１の上面から支持体３２の基準面３２ｂでの高さ寸法Ｈ（図５）に応じて適当なスペーサ３６が選択され、フランジ部材３１と支持ボルト３３との間に配置される。用意したスペーサ３６の高さ寸法の差分よりも支持ボルト３３の上下動の調整範囲を大きくすることにより、より広範囲の重りガイドレール５ｂの位置変動に対して連続的に対応して荷重を支持することができる。即ち、大まかな調整をスペーサ３６により行い、微調整は支持ボルト３３で行うことができる。
【００３２】
【発明の効果】
以上説明したように、請求項１の発明のエレベータのガイドレール固定装置は、上下方向の位置が調整可能な支持ボルトによりガイドレールの鉛直下向きの荷重を受けさせ、かつ基台に固定された当て板にガイドレールの裏面を当接させ、止め具により当て板に対するガイドレールの水平方向への移動を規制するようにしたので、ガイドレールの上下方向の位置が変動した場合にも、ガイドレールの鉛直方向の荷重を容易に支持することができる。
【００３３】
請求項２の発明のエレベータのガイドレール固定装置は、ガイドレールの下端部と支持ボルトとの間に、ガイドレールの鉛直下向きの荷重を支持ボルトに伝えるスペーサを配置したので、より広範囲のガイドレールの位置変動に対して連続的に対応して荷重を支持することができる。
【００３４】
請求項３の発明のエレベータのガイドレール固定装置は、当て板との間にガイドレールを挟持するレールクリップを止め具として用い、当て板には、レールクリップを取り付けるための複数の取付孔を上下方向に間隔をおいて設けたので、簡単な構成によりガイドレールの水平方向への移動を規制することができる。
【００３５】
請求項４の発明のエレベータのガイドレール固定装置は、上下方向の位置が調整可能な支持ボルトにより、フランジ部材を介してガイドレールの鉛直上向きの荷重を受け、かつ止め具により支持体に対するフランジ部材の水平方向への移動を規制するようにしたので、ガイドレールの上下方向の位置が変動した場合にも、ガイドレールの鉛直方向の荷重を容易に支持することができる。
【００３６】
請求項５の発明のエレベータのガイドレール固定装置は、フランジ部材と支持ボルトとの間に、ガイドレールの鉛直上向きの荷重を支持ボルトに伝えるスペーサを配置したので、より広範囲のガイドレールの位置変動に対して連続的に対応して荷重を支持することができる。
【００３７】
請求項６の発明のエレベータのガイドレール固定装置は、フランジ部材を支持体に取り付ける取付ボルトを止め具として用い、支持体には、取付ボルトを取り付けるための上下方向に延びる複数の長孔を上下方向に間隔をおいて設けたので、簡単な構成によりガイドレールの水平方向への移動を規制することができる。
【図面の簡単な説明】
【図１】  この発明の実施の形態１によるエレベータのガイドレール固定装置を示す斜視図である。
【図２】  この発明の実施の形態２によるエレベータのガイドレール固定装置を示す斜視図である。
【図３】  この発明の実施の形態３によるエレベータのガイドレール固定装置を示す斜視図である。
【図４】  この発明の実施の形態４によるエレベータのガイドレール固定装置を示す斜視図である。
【図５】  図４のＶ−Ｖ線に沿う矢視断面図である。
【図６】  従来のエレベータの一例を示す構成図である。
【図７】  図６の平面図である。
【図８】  従来のガイドレール固定装置の一例を示す斜視図である。
【符号の説明】
１ａ  ピット床部、２  基台、４ａ  かごガイドレール、５ｂ  重りガイドレール、２２，３３  支持ボルト、２４  当て板、２５  レールクリップ（止め具）、２６，３６  スペーサ、３１  フランジ部材、３２  支持体、３５  取付ボルト（止め具）。
【図１】
0004279383.tif 000002
【図２】
0004279383.tif 000003
【図３】
0004279383.tif 000004
【図４】
0004279383.tif 000005
【図５】
0004279383.tif 000006
【図６】
0004279383.tif 000007
【図７】
0004279383.tif 000008
【図８】
0004279383.tif 000009